(57)【要約】【課題】本発明は筋力測定を利用して得られるベッドマットレス並びにその選択及び適切な配置方法を提供すること。【解決手段】本発明は使用者がベッドマットレスに仰臥しているときの下肢の力量を測定することにより、使用者に適したベッドマットレスであるかを判断する。本発明のベッドマットレスにはベッド表面、ベッド底面及び前記ベッド表面とベッド底面の間に設けられた複合材質構造が含まれ、前記複合材質構造の材質、硬度や厚さを調整することにより、使用者に適したベッドマットレスを提供することができる。この他、本発明は筋力測定を利用したベッドマットレスの選択及び適切な配置方法をも提供することにより、使用者又は消費者は有効的に且つ経済的利益に合った形で、それの需要に応じた適切なベッドマットレスを選択することができる。【選択図】図２
2009034502.tif 000002
【特許請求の範囲】
【請求項１】
筋力測定を利用して使用者用にオーダーメイドするベッドマットレスのオーダーメイド方法において、
前記ベッドマットレスは前記使用者の脊柱を仰臥状態において実質的に直立時の湾曲度になるようにさせ、かつ、ある硬度を有するベッドマットレスは、ベッド表面、ベッド底面及び前記ベッド表面とベッド底面の間に設けられた少なくとも一つの複合材質構造を有しており、
前記オーダーメイド方法は、
前記使用者が脊柱の不快感を有するか否かの判断と、
前記使用者の下肢力量の測定と、を含み、
前記使用者の下肢力量の測定は、外力を前記使用者の下肢に加え、前記使用者は力を加えて前記外力に反対に作用させ、使用者が加えた力の力量が実質的に少なくとも前記外力の力量とのバランスを取ることができるまで前記ベッドマットレスの硬度を調整することを含むことを特徴とする、
ベッドマットレスのオーダーメイド方法。
【請求項２】
前記ベッドマットレスのオーダーメイド方法において、前記複合材質構造は少なくとも二つの異なる相対硬度を持つ材質を含み、その内の一つの材質を前記ベッドマットレスのベッド表面に隣接させ、その内のもう一つの材質を前記ベッド底面に隣接させる、請求項１に記載のベッドマットレスのオーダーメイド方法。
【請求項３】
前記ベッドマットレスのオーダーメイド方法において、その前記複合材質構造のうち、ベッド表面に隣接させる材質は、前記ベッド底面に隣接させる前記もう一つの材質よりも柔らかくする、請求項２に記載のベッドマットレスのオーダーメイド方法。
【請求項４】
前記ベッドマットレスのオーダーメイド方法において、その前記複合材質構造のうちベッド表面に隣接させる材質は、前記ベッド底面に隣接させる前記もう一つの材質よりも硬くする、請求項２に記載のベッドマットレスのオーダーメイド方法。
【請求項５】
前記ベッドマットレスのオーダーメイド方法において、更に前記使用者の下肢力量を測定する前に、前記使用者の体格指数を取得し、それには前記使用者の身長と体重の測定を行うこと、並びに計算式を利用して前記体格指数を取得することを含む、請求項１に記載のベッドマットレスのオーダーメイド方法。
【請求項６】
前記ベッドマットレスのオーダーメイド方法において、そのうち前記使用者の下肢力量の測定は、更に外力を前記使用者の下肢に加える前に、前記使用者の少なくとも一方の下肢をあげて90度になるまで曲げることを含む、請求項１に記載のベッドマットレスのオーダーメイド方法。
【請求項７】
前記ベッドマットレスのオーダーメイド方法において、そのうち前記ベッドマットレスの硬度の調整は、前記複合材質構造を調整し、前記複合材質構造と異なる少なくとも一つの材質をその中に加えることにより、前記ベッドマットレスの硬度を変更する、請求項１に記載のベッドマットレスのオーダーメイド方法。
【請求項８】
前記ベッドマットレスのオーダーメイド方法において、そのうち前記ベッドマットレスの硬度の調整は、前記複合材質構造中のいずれか一つの材質の厚さを変更することによって、前記ベッドマットレスの硬度を変更する、請求項１に記載のベッドマットレスのオーダーメイド方法。
【請求項９】
筋力測定を利用するベッドマットレスの製造方法において、
前記ベッドマットレスを異なる使用者の使用に供することにより、その脊柱を仰臥状態において実質的に直立時の湾曲度となるようにし、かつ前記ベッドマットレスは異なる相対軟硬度を有し、
前記製造方法は、
前記使用者が脊柱に不快感を有しているか否かの判断と、
前記使用者の体格指数の取得と、
前記使用者の下肢力量の逐一測定と、
使用者の下肢力量に基づいて前記ベッドマットレスの相対軟硬度を使用者の適合度との比較・決定と、を含み、
前記使用者の下肢力量の逐一測定は、外力を前記使用者の下肢に加え、前記使用者は力を加えて前記外力に反対に作用させ、使用者の加えた力の力量が実質的に少なくとも前記外力の力量とのバランスを取ることができるまでにすることを含み、
前記ベッドマットレスの相対軟硬度を使用者の適合度と比較・決定は、使用者のより大きな下肢力量に相対するベッドマットレスをより高い適合度を有するベッドマットレスとして定めることにより、前記相対的により高い適合度を有するベッドマットレスを製造することを特徴とする、
ベッドマットレスの製造方法。
【請求項１０】
前記ベッドマットレスの製造方法において、そのうち前記各ベッドマットレスは、ベッド表面、ベッド底面、および少なくとも一つの複合材質構造を含み、前記少なくとも一つの複合材質構造は異なる相対硬度を有する少なくとも二つの材質を含み、その内の一つの材質を前記ベッド表面に隣接させ、その内のもう一つの材質を前記ベッド底面に隣接させる、請求項９に記載のベッドマットレスの製造方法。
【請求項１１】
前記ベッドマットレスの製造方法において、そのうち前記複合材質構造の、ベッド表面に隣接された材質は、前記ベッド底面に隣接されたもう一つの材質よりも柔らかくする、請求項１０に記載のベッドマットレスの製造方法。
【請求項１２】
前記ベッドマットレスの製造方法において、そのうち前記複合材質構造の、ベッド表面に隣接された前記複合材質構造の材質は、前記ベッド底面に隣接されたもう一つの材質よりも硬くする、請求項１０に記載のベッドマットレスの製造方法。
【請求項１３】
前記ベッドマットレスの製造方法において、そのうち前記使用者の体格指数の取得には、前記使用者の身長と体重の測定、並びに計算方法を利用して前記体格指数を取得することを含む、請求項９に記載のベッドマットレスの製造方法。
【請求項１４】
前記ベッドマットレスの製造方法において、そのうち前記使用者の下肢力量の逐一測定は、更に外力を前記使用者の下肢に加える前に、前記使用者の少なくとも一方の下肢を上げて90度になるまで曲げることを含む、請求項９に記載のベッドマットレスの製造方法。
【請求項１５】
筋力測定を利用してベッドマットレスを選択及び適切に配置する方法において、
選択と適切な配置を経たベッドマットレスは使用者の使用に供し、これによって脊柱を仰臥状態において実質的に直立時の湾曲度になるようにさせ、
前記方法は、
前記使用者が脊柱に不快感を有するか否かの判断と、
前記使用者にベッド表面、ベッド底面、および前記ベッド表面とベッド底面の間に設けられた少なくとも一つの複合材質構造を含む少なくとも一つのベッドマットレスの提供と、
前記使用者の下肢力量の測定と、を含み、
前記使用者の下肢力量の測定は、前記使用者が前記少なくとも一つのベッドマットレスに仰臥したとき、外力を前記使用者の下肢に加え、前記使用者は力を加えて前記外力に反対に作用させ、及び使用者の加えた力の力量が実質的に少なくとも前記外力の力量とのバランスを取ることができるまで、前記少なくとも一つのベッドマットレスの硬度を調整することを含むことを特徴とする、
筋力測定を利用してベッドマットレスを選択及び適切に配置する方法。
【請求項１６】
前記筋力測定を利用してベッドマットレスを選択及び適切に配置する方法において、更に前記使用者の下肢力量を測定する前に、前記使用者の体重を取得し、参考数値とすることを含む、請求項１５に記載の筋力測定を利用してベッドマットレスを選択及び適切に配置する方法。
【請求項１７】
前記筋力測定を利用してベッドマットレスを選択及び適切に配置する方法において、更に前記使用者の下肢力量の測定の前に、前記使用者の体格指数を取得し、それには前記使用者の身長と体重を測定することを含み、これを参考数値とすることを含む、請求項１５に記載の筋力測定を利用してベッドマットレスを選択及び適切に配置する方法。
【請求項１８】
前記筋力測定を利用してベッドマットレスを選択及び適切に配置する方法において、そのうち前記使用者の下肢力量の測定は、更に外力を前記使用者の下肢に加える前に、前記使用者の少なくとも一方の下肢を上げ、90度になるまで曲げることを含む、請求項１５に記載の筋力測定を利用してベッドマットレスを選択及び適切に配置する方法。
【請求項１９】
前記筋力測定を利用してベッドマットレスを選択及び適切に配置する方法において、そのうち前記少なくとも一つのベッドマットレスの硬度の調整は、前記複合材質構造を調整し、前記複合材質構造と異なる少なくとも一つの材質をその中に加えることにより行う、請求項１５に記載の筋力測定を利用してベッドマットレスを選択及び適切に配置する方法。
【請求項２０】
前記筋力測定を利用してベッドマットレスを選択及び適切に配置する方法において、そのうち前記少なくとも一つのベッドマットレスの硬度の調整は、前記ベッドマットレスのベッド表面、ベッド底面又は複合材質構造の少なくとも一つを、前記複合材質構造と異なる材質に交換することにより行う、請求項１５に記載の筋力測定を利用してベッドマットレスを選択及び適切に配置する方法。
【請求項２１】
前記筋力測定を利用してベッドマットレスを選択及び適切に配置する方法において、そのうち前記少なくとも一つのベッドマットレスの硬度の調整は、直接前記ベッドマットレスの上下を転換し、ベッド表面をベッド底面にし、ベッド底面をベッド底面とすることで前記ベッド表面の硬度を変換することにより行う、請求項１５に記載の筋力測定を利用してベッドマットレスを選択及び適切に配置する方法。
【請求項２２】
請求項1に記載の方法によってオーダーメイドしたベッドマットレス。
【請求項２３】
請求項9に記載の製造方法によって製造したベッドマットレス。
【請求項２４】
請求項15に記載の方法によって選択及び適切に配置したベッドマットレス。
【発明の詳細な説明】
【技術分野】
【０００１】
本発明は、筋力測定を利用したベッドとその選択及び適切な配置方法に関するものである。人体が仰臥状態において、筋肉が外力に対して生じる筋力表現と効果を利用し、ベッドの関連製品に運用するものであり、特にベッドマットレスを指しており、使用者に適したベッドマットレスを提供し、使用者にそれの需要にあったベッドマットレスを選択及び適切に配置させることができる。
【背景技術】
【０００２】
ベッド又はベッドマットレスの硬度が睡眠の質に相当な影響力があることは医学で実証されている。よって、どのように適切なベッドを選択するかにはそれだけの必要性と重要性がある。特に脊柱の痛み又は関係疾病を患っている使用者が、不適切なベッドに長期間仰臥した場合、更なるダメージを被る可能性がある。人は通常、一日の約1/3の時間を睡眠と休息にかけている。つまり、人生の約1/3の時間はベッドに仰臥している可能性がある。しかし、どのように個人の需要に応じ、自身に適したベッドマットレス又はベッドを選択すれば良いのかについては、いまだにシステム化され、経済的利益にあった、時間を節約できる方法がないようである。
【０００３】
大多数の消費者はベッドマットレスを購入する際、ベッドマットレスに仰臥した時の硬度の好みやその材質のさわり心地を元に購入しているが、具体的に且つ有効的に自分に適したベッドマットレスを探し当てられていない場合が多く、脊柱の痛みに悩まされている消費者の場合、硬ければ硬いほど良いという考え方に基づいてベッドマットレスを買う可能性さえある。通常、消費者がある特定のベッドマットレスを購入してから、一定の使用期間を経てから、当初選んだベッドマットレスが自分に合っていないことを認識する。しかし、睡眠の質が良くない又は改善されていないことに気付き、更には脊柱、背中又は腰に不快を感じてから（例えば、脊柱の長期間の不良による腰痛）、再びベッドマットレスを改めて選択しようとした場合、時間の無駄となり経済的利益に合っていないだけでなく、買換えたベッドマットレスは依然として自分に適したベッドマットレスで無い可能性がある。
【０００４】
具体的に言うと、一般的に言う自分に適したベッドマットレスとは、使用者が仰臥状態においてそれを正確に且つ快適にさせるよう支えることができるベッドマットレスを指す。また、正確且つ快適という定義に関わる物理的特徴には、脊柱の並び、体とベッドの間の接触圧力又は体重分布、接触部分の体表面温度とベッドの吸汗性が含まれている。その内、脊柱の並び及び接触圧力が人体の下背部の筋肉及び靭帯にこりや傷害をもたらすか、並びにその度合いが最も深く関わっている。特定の体重の正常人がベッドマットレスに仰臥したときの脊柱の並びや接触圧力は、その人の体重の影響により異なる。つまり、異なる使用者に適合する又は適用できる単一のベッドマットレス又はベッドはない。この他、類似又は同一体型の使用者又は消費者でも、筋肉組織、体脂肪、血管の分布並びに脊柱の弧度にかなりの違いを有する可能性がある。また、同一のベッドマットレスが一人一人に与える影響も一定ではなく、筋肉及び血管が不適切に圧迫されたり、脊柱の不適切な湾曲により、前記使用者が力を入れることができない、又は不適切に力を入れてしまう場合、ベッドマットレス又はベッドの適合性や快適性も自然に下がってしまうことも研究で明らかになっている。
【０００５】
図1は、正常人の脊柱20’の側面図を示すものである。正常な人体の脊柱20’には計33個の脊椎骨があり、その内、7個の頚椎C1〜C7、12個の胸椎T1〜T12、5個の腰椎L1〜L5、5つ個の仙椎S1〜S5及び4個の尾椎V1〜V4が含まれる。側面図に示す湾曲度は、正常人の脊柱20’の直立時にあるべき弧度を示す。正常人が直立時に正確且つ良好な姿勢を呈しているとき、上から下へ延びる一本の垂直線は側面から耳たぶ、肩、寛骨の天辺、ひざの後ろ、距骨の前を通り抜けることができる。仰臥状態において、人体の頚椎と腰椎は、脊柱の直立時の弧度とはほぼ反対となり、ベッド又はベッドマットレスから離れており、胸椎と仙椎も脊柱の直立時の弧度とほぼ反対となりベッドに近づいている。つまり、一般の平坦な表面に仰臥したとき、人体の頚椎及び腰椎は宙に浮いていることから、脊椎全体を伸ばし、筋肉をリラックスさせるための良好な支えが必要となり、これによりこりや傷害が生じるのを回避する又は減少させることができる。脊柱が伸び、不適切な圧力を受けることがなく、筋肉がリラックスし、神経伝達を比較的良い状態にさせるための、使用者の脊柱が仰臥状態でも上記直立時の湾曲度と並びをするよう的確且つ快適に支えることができるベッド又はベッドマットレスこそ、前記使用者又は消費者に適したベッドマットレスである。
【０００６】
機器を利用した測定や透視法を用いて、脊椎が仰臥状態において上記直立時の正確な湾曲度を保っているかを検証するのは一つの方法である。しかし、この方法は経済効率に合っておらず、且つ時間と労力を費やす上、設備及び場所の不便さ等といった幾多の制限を受けている。よって、どのようにしてレントゲンやその他類似の透視機器又は視覚による透視方法を用いらずに脊柱の湾曲度を調べ、且つ有効的に上記欠陥を克服し、脊柱が仰臥状態でも正確に直立時の湾曲又は弧度をなすよう確保するかが課題となる。また、前記のとおり、複数使用者の異なる体型、体重、脊柱の弧度及び筋肉の構造に応じ、使用者に適したベッドマットレスを提供し、前記使用者の脊椎を仰臥状態において直立時の伸びたような状態にさせ、筋肉をリラックスさせ、神経伝達を比較的良い状態にさせることはもう一つの課題である。有効的に時間を節約して経済的利益にあった（即ち選択及び適切な配置）形で、不特定の消費者に適したベッドマットレスを提供することもまたもう一つの課題である。
【発明の開示】
【発明が解決しようとする課題】
【０００７】
本出願は、筋力測定を利用して得られるベッドマットレス並びにその選択及び適切な配置方法を提供することにより、前記先行技術の欠陥と不足を克服するほか、上記を含む関連課題等の解決を果たすことができる。本発明が提供するベッドマットレス及びその選択及び適切な配置方法は、個人のためにオーダーメイドされたベッドマットレス、規格化又は製造されたベッドマットレス、及び不特定の消費者のために選択及び適切に配置したベッドマットレスの製品に応用でき、本発明は実に大きな前進であり貢献があるといえる。
【課題を解決するための手段】
【０００８】
本発明における筋力測定を利用して使用者のためにオーダーメイドしたベッドマットレスの実施例において、前記ベッドマットレスは使用者の脊椎を仰臥状態において、脊柱の直立時の正確な湾曲度を保たせることができ、硬度を有する前記ベッドマットレスにはベッド表面、ベッド底面、及び前記ベッド表面とベッド底面の間に設けられた少なくとも一つの複合材質構造が含まれ、そのオーダーメイド方法には、前記使用者に脊柱に不快感があるかを判断し、前記使用者の下肢の力量を測定することが含まれ、前記使用者の下肢の力量測定には、前記使用者の下肢に外力を加え、前記使用者は力を加えて前記外力に反対に作用させ、使用者が加えた力と前記外力の力とが実質的に少なくともバランスが取れるまで、前記ベッドマットレスの硬度を調整することが含まれる。実施例では、更に前記使用者の下肢の力量を測定する前に、前記使用者の体格指数を取得することが含まれ、これには前記使用者の身長及び体重を測定すること、並びに計算式を利用して前記体格指数を取得することが含まれている。
【０００９】
本発明における筋力測定を利用して使用者のためにオーダーメイドしたベッドマットレスのもう一つの実施例において、前記ベッドマットレスの複合材質構造は少なくとも二種類の硬度の異なる材質が含まれることにより、前記複合材質構造の異なる側に隣接されたベッド表面とベッド底面は、異なった相対的な硬度を有する。本発明における筋力測定を利用して使用者のためにオーダーメイドしたベッドマットレスの実施例において、前記ベッドマットレスの硬度の調整には、前記複合材質構造の材質の相対的な厚さを増減することが含まれる。本発明における筋力測定を利用して使用者のためにオーダーメイドしたベッドマットレスの更にもう一つの実施例において、前記ベッドマットレスの硬度の調整には、前記複合材質構造の硬度と異なる少なくとも一つの材質を加えることが含まれている。
【００１０】
本発明における筋力測定を利用して製造されたベッドマットレスの実施例において、前記ベッドマットレスは異なる使用者の使用に供することができ、前記使用者の脊柱を仰臥状態において、実質的に脊柱の直立時の湾曲度を保たせることができる。前記ベッドマットレスには、ベッド表面、ベッド底面、及び前記ベッド表面とベッド底面の間に設けられた少なくとも一つの複合材質構造が含まれ、前記ベッドマットレスは異なる相対的な硬度を有し、その製造の過程には、前記使用者に脊柱の不快感があるかを判断し、前記使用者の体格指数を取得し、前記使用者の下肢の力量を逐一測定し、使用者の下肢の力量に応じ、使用者の適合度と相対して前記ベッドマットレスの硬度を定め、その内、使用者のより大きな下肢力量に相対したベッドマットレスを、より高い適合度のあるベッドマットレスとし、相対的により高い適合度を有する前記ベッドマットレスを柔らかいものから硬いものへと分類し又は番号を振り、大量生産することが含まれ、その内、前記使用者の下肢の力量を逐一測定することには、前記使用者の下肢に外力を加え、前記使用者は力を加えて前記外力に反対に作用させ、使用者が加えた力が実質的に少なくとも前記外力の力とのバランスを取ることができるまでにすることが含まれる。
【００１１】
本発明における筋力測定を利用して製造されたベッドマットレスの実施例の別の実施例において、その内の少なくとも一つの複合材質構造には異なる硬度の少なくとも二つの材質が含まれ、内の一つの材質を前記ベッド表面に隣接させ、もう一つの材質を前記ベッド底面に隣接させる。一実施例において、前記複合材質構造のベッド表面に隣接させた材質は、前記ベッド底面に隣接させた材質より柔らかい。また別の実施例において、その内の前記複合材質構造の、ベッド表面に隣接させた材質は、前記ベッド底面に隣接させた材質より硬い。
【００１２】
本発明における筋力測定を利用してベッドマットレスを選択及び適切に配置する方法の実施例において、選択および適切に配置されたベッドマットレスは使用者の使用に供することができ、使用者の脊柱を仰臥状態において、実質的に直立時の湾曲度を保たせることができる。前記方法には、前記使用者に脊柱の不快感があるかを判断し、前記使用者に、ベッド表面、ベッド底面及び前記ベッド表面とベッド底面の間に設けられた複合材質構造を含む少なくとも一つのベッドマットレスを提供し、前記使用者の下肢の力量を測定することが含まれ、その内、前記使用者の下肢の力量測定には、前記使用者が少なくとも一つのベッドマットレスに仰臥しているとき、前記使用者の下肢に外力を加え、前記使用者は力を加えて前記外力に反対に作用させ、使用者が加えた力が実質的に少なくとも前記外力の力とのバランスを取ることができるまで、前記少なくとも一つのベッドマットレスの硬度を調整することが含まれる。本発明における筋力測定を利用してベッドマットレスを選択及び適切に配置する方法の別の実施例において、前記方法は更に前記使用者又は消費者の下肢の力量を測定する前に、参考値として前記使用者の体重を測定し、前記使用者の体格指数を計算することが含まれる。
【００１３】
本発明における筋力測定を利用してベッドマットレスを選択及び適切に配置する方法のもう一つの別の実施例において、その内の少なくとも一つのベッドマットレスの硬度を調整することには、前記複合材質構造の硬度より硬い又は柔らかい材質を加えることが含まれる。本発明における筋力測定を利用してベッドマットレスを選択及び適切に配置する方法のもう一つの別の実施例において、その内の前記少なくとも一つのベッドマットレスの硬度を調整するというのは、少なくとも一つのベッドマットレスの複合材質を別の比較的硬い、又は柔らかい硬度の材質と取り替えることである。
【発明の効果】
【００１４】
本発明の、筋力測定を利用して使用者のためにオーダーメイドしたベッドマットレスによれば、前記ベッドマットレスは前記使用者の脊柱を仰臥状態において、実質的に脊柱の直立時の湾曲度を保たせることができる。これにより、脊柱が伸び、筋肉がリラックスし、血管は不適切な圧迫を受けることがなくなり、神経伝達が比較的良い状態になり、こりや傷害の発生を回避したり軽減することができる。
【００１５】
また、本発明の、筋力測定を利用して製造（量産化）されたベッドマットレスによれば、前記ベッドマットレスは異なる使用者の使用に供し、その脊柱は仰臥状態でも、実質的に脊柱の直立時の湾曲度を保たせることができる。また、筋力測定により規格化及び製造されたベッドマットレスは、異なる使用者に適したベッドマットレスとして提供することができる。前記ベッドマットレスは、使用者が前記ベッドマットレスに仰臥したとき、脊柱を伸ばさせ、筋肉をリラックスさせ、血管を不適切な圧迫を受けさせなくし、神経伝達を比較的良い状態にさせることができ、こり及び傷害の発生を回避したり軽減することができる。
【００１６】
また、本発明の筋力測定を利用してベッドマットレスを選択及び適切に配置する方法によれば、使用者又は消費者がその人に適したベッドマットレスに仰臥したとき、脊柱は実質的に直立時の湾曲度を保っている。つまり、筋力測定により選択並びに適切に配置されたベッドマットレスは、有効的に且つ経済的利益に合った形で、使用者の需要に応じ、それに適した適切に配置されたベッドマットレスとして前記使用者に提供することができる。前記使用者が前記ベッドマットレスに仰臥したとき、脊柱は伸び、筋肉はリラックスし、血管は不適切な圧迫を受けることがなくなり、神経伝達は比較的良い状態になり、こりや傷害の発生を回避したり若しくは減少することができる。
【発明を実施するための最良の形態】
【００１７】
前記内容は本発明の概要であり、いずれも本発明の範囲を制限するものではない。ここに言う技術内容は、異なる方法及び実施例により実施することができるため、如何なる変化又はその他変更実施例も、全て本発明の範囲に反することはない。以下、本案のより好ましい実施例につき詳しく説明する。
【実施例】
【００１８】
本発明である筋力測定を利用して得られるベッドマットレス並びにその選択及び適切な配置方法には、様々な異なる実施例が含まれ、且つ異なる実施方式によりこれを達成することができる。一つの実施例では、筋力測定を利用して使用者のためにオーダーメイドしたベッドマットレスを指し、もう一つの実施例では、筋力測定を利用して製造されたベッドマットレスを指し、また更にもう一つの実施例では、筋力測定を利用したベッドマットレスの選択及び適切な配置方法を指している。前述した筋力測定を利用して得られるベッドマットレスは、使用者の脊柱を仰臥状態において、実質的に直立時の正確な湾曲度を保たせることができる。これにより使用者の脊柱は伸び、不適切な圧力を受けることがなく、筋肉がリラックスでき、血管が不適切な圧迫を受けることがなく、神経伝達を比較的良い状態にさせることができ、こりや傷害の発生を回避したり減少することができる。
【００１９】
図2に示すベッドマットレス10は実施例の側面図であり、ベッド表面12とベッド底面14が含まれ、使用者が前記ベッドマットレス10に仰臥しベッド表面12と接触した時、前記ベッドマットレス10は使用者の脊柱20を正確にかつ快適に支えることができる。即ち、前記図1に示す直立時の脊柱20’の湾曲度と比較して、仰臥時の脊柱20が前記直立時の脊柱20’とほぼ同じ弧度を有している場合、ベッドマットレス10は前記使用者又は消費者に「適した」ベッドマットレスであると見なすことができる。つまり、前記ベッドマットレス10は前記使用者に適した硬度Hを有する。
【００２０】
次に、どのように使用者に適したベッドマットレス10を提供すれば、使用者の脊椎が仰臥時に伸び、不適切な圧力を受けることがなくなり、筋肉がリラックスでき、且つ神経伝達が比較的良い状態になり、こりや傷害の発生を回避したり軽減することができるか、並びに前記の先行技術が使用する機器や類似した透視技術を必要としないかが本発明の達成したい目的の一つである。筋力測定を利用し、使用者又は消費者に適したベッドマットレスを提供することについて以下の通り詳しく説明する。その内、オーダーメイドされたベッドマットレス、製造されたベッドマットレス、及び筋力測定を利用して使用者又は消費者のためにベッドマットレスを選択及び適切に配置する方法が含まれる。
【００２１】
本発明における筋力測定を利用して使用者のためにオーダーメイドされたベッドマットレス10の実施例において、前記ベッドマットレスは前記使用者の脊柱20を仰臥状態において、実質的に脊椎の直立時の正確な湾曲度を保たせることができ、且つ硬度を有する前記ベッドマットレス10には、少なくとも一つの材質の複合材質構造15、ベッド表面12及びベッド底面14が含まれ、その製造過程には、前記使用者に脊柱の不快感があるかを判断し、前記使用者の体格指数（Body Mass Index/BMI）を計算し、前記使用者の下肢の力量を測定することが含まれ、その内、前記使用者の下肢の力量測定には、前記使用者の下肢に外力を加え、前記使用者は力を加えて前記外力に反対に作用させ、使用者が加えた力が実質的に少なくとも前記外力の力とのバランスを取ることができるまで、前記ベッドマットレスの硬度を調整することが含まれる。
【００２２】
まず、使用者Pの下肢の力量を測定したことを示す図3を参照すると、使用者Pがベッドマットレス10に仰臥した時に、少なくとも片足を図のように曲げて挙げ、ほぼ90度の状態にすることが好ましい。次に、前記足部の太腿に外力Fを加え、その方向は図が示す矢印Aの如く、前記使用者の仰臥時の水平方向とほぼ平行しており、且つ前記使用者の足の裏の方向に向かって外力Fの力は加えられている。実施例において、前記外力Ｆは少なくとも5秒以上継続することが好ましい。その後、使用者Pは前記外力Aに反対に作用する方向に力F’を加え、実施例において、実質的に前記外力Fとほぼバランスが取れるように、又は前記外力Fを上回るように図るために、使用者Pは足部の大腿四頭筋でF’の力を加えることが好ましい。
【００２３】
また、本発明の別の実施例において、使用者Pは外力Fの反対方向にF’の力を加え、使用者が足部を湾曲してあげて呈したほぼ90度の角度を維持することで、前記F’は実質的に少なくとも前記外力Fとバランスを取ることができることを表す又は判断することが好ましい。上記外力Fを加えることにつき、力を加える方法や手段は問わず、人力（例えば試験者が外力を加える）や機械により生じた押す力、又は筋力測定機器を利用して加えた力Fが含まれ、いずれも本発明の範囲に属すると理解することができる。この他、使用者Pの足部はほぼ90度も湾曲する必要は無く、足を上げている状態だけでも良い。
【００２４】
前記筋力測定を利用して使用者Pのためにオーダーメイドしたベッドマットレス10の実施例において、使用者Pに脊柱の不快感があるかの判断が含まれることが好ましい。前記脊柱の不快感があるというのは脊柱側湾、先天的又は後天的に発生した脊柱疾病、脊柱傷害などにより、正常人の脊柱とは異なる状況が発生した場合を含む。然るに、使用者Pに脊柱の不快感があっても、正常な筋力測定の実行に影響を及ぼすことがない場合、又は身体-特に足部や下肢の筋肉、神経や血管などが筋力測定を受けることができる場合、前記下肢力量測定を行うことはできる。
【００２５】
前記のとおり、使用者に適したベッドマットレスが使用者を仰臥状態において正確且つ快適に支えることができるとき、使用者の脊柱は実質的に直立時の湾曲度を保つことができるため、脊柱は伸び、不適切な圧力を受けることがなくなり、且つ筋肉はリラックスでき、神経伝達も比較的良い状態になる。人体の筋力測定はこのメリットを利用し、脊柱と筋肉が伸び、血管が不適切な圧迫を受けることがなくなり、神経伝達が人体の力量の収縮や放出に有利であるとき、前記人体の筋力表現は如何なるものかを測定することができる。例えば、2kgの重量に等しい力量の外力Fを使用者Pの大腿筋肉に加え、使用者が軽々とまたは正常に力量F’を加えて、前記外力Fの力量に少なくともほぼ等しい又はより大きい力に反対に作用させることができる場合、前記使用者の脊柱及び筋肉は、前記ベッドマットレスに仰臥しているときに伸びることができるのであり、且つ神経伝達は人体の力量の収縮や放出に有利であることを表す。
【００２６】
ここに言う軽々と又は正常に力を加えるとは、使用者がそれの通常の身体能力や体力で一般の事務を行うことができることを指すほか、例えば、同じように約2kgの重さの力を加えた時に、体が感じた又は受け取った難易度といった比較値であっても良い。通常、人体の筋肉が制限されたり、血管が圧迫されたり、又は神経が比較的順調に伝達できない場合、力を加える時の難易度は影響される。ここに言う力量とは如何なる大小又は強度であってもよく、前記数値に限らないと理解することができる。
【００２７】
本発明における筋力測定を利用して使用者のためにオーダーメイドしたベッドマットレス10の実施例において、そのオーダーメイド方法も前記使用者の体格指数を計算することを含むことができる。前記体格指数とは、Body Mass Index(BMI)を指し、前記指数の定義は下記のとおりである。
BMI= weight(kg)/height2(m2)
その内、weightは体重（単位：キログラム）、heightは身長（単位：メートル）を指す。
【００２８】
例えば、広く認められている基準によると、一人の人間の体格指数が18.5〜25である場合、身長に対して最も良い体重を有し、体格指数が18.5を下回る場合、身長に対して比較的痩せている体重を有し、指数が25を上回る場合は重すぎる体重を有することになる。体格指数の計算結果は、使用者の身長と体重を測定して計算したものを参考のデータとすることを含むことができる。体重の数値も単独でこの実施例における参考データとすることができると理解できる。よって、本発明の別の実施例において、使用者の体重を測定して参考データとすることだけを含んでも良い。更に別の実施例では、使用者が直接告知した体重及び/又は身長を参考データとすることもできる。この他、本発明の実施例においていう体格指数の計算については、この段階又はステップをいつ行うか、またはその他の技術手段との間の順序を限定しないことは皆可能であると理解することができる。例えば、一実施例において、体格指数の計算のステップは前記下肢力量測定の前に行うことができ、また別の実施例では、前記ステップは下肢力量測定後に行うこともできる。
【００２９】
本発明における筋力測定を利用して使用者のためにオーダーメイドしたベッドマットレスの実施例において、その内の前記複合材質構造には少なくとも二種類の異なる硬度を有する材質が含まれ、これにより前記複合材質構造と異なる側に隣接させたベッド表面とベッド底面とは、異なる相対的な硬度を有する。図4A〜4Cは、本発明における筋力測定を利用して得られるベッドマットレス10A、10B、10Cの異なる実施例の立体図である。前記実施例において、ベッドマットレス10A、10B、10Cは少なくとも一つの材質を有する複合材質構造15A、15B、15C、ベッド表面12A、12B、12C及びベッド底面14A、14B、14Cが含まれ、その内の前記複合材質構造15A、15B、15Cは、前記ベッド表面12A、12B、12C及びベッド底面14A、14B、14Cの間に設けられている。まず、図4Aに示す本発明のベッドマットレス10Aの一実施例のように、複合材質構造15Aは一種類以上の異なる硬度の異なる材質M1、M2を含むことができる。例えば、M1は比較的低い硬度のH1又は比較的柔らかい発泡体（例えばメモリ発泡体、粘弾性発泡体など）であってよく、M2は比較的高い硬度のH2（例えばスポンジ、ココナッツの糸など）であってよい。これらの材質は材質間の相対的な固さの違いを説明するものであるため、本発明は前記材質に限らない。
【００３０】
一実施例における複合材質構造15Aは、比較的柔らかい材質M1を比較的硬い材質M2の上に設けているため、ベッド表面12Aは前記比較的柔らかい材質M1に隣接されており、ベッド底面14Aは前記比較的硬い材質M2に隣接されている。つまり、ベッドマットレス10Aのベッド表面12Aはベッド底面14Ａよりも柔らかく、使用者Pの仰臥および使用に供している。次に、図4Bで示すように、本発明のベッドマットレス10Bの別の実施例においても、ベッド表面12B、ベッド底面14B及びその間にある少なくとも一つの複合材質構造15Bを含むことができる。一実施例において、複合材質構造15Bも前述した異なる硬度H1、H2を有するM1及びM2のような一種類以上の材質から構成されることができる。異なるのは、この実施例において、複合材質構造15Bは比較的硬い材質M2を比較的柔らかい材質M1上に設けているため、ベッド表面12Bは前記比較的硬い材質M2に隣接され、ベッド底面14Bは前記比較的柔らかい材質M1に隣接されている。
【００３１】
また、図4Cが示すように、本発明の一実施例において、ベッドマットレス10Cはベッド表面12C、ベッド底面14C、及び少なくとも一つの複合材質構造15Cを含み、前記複合材質構造15Cは少なくとも二種以上の材質M1、M2、M3を含む。例えば、実施例において、M3の硬度H3はM1の硬度H1より小さい。つまり、H2＞H1＞H3である。故に、ベッドマットレス10Cの実施例において、ベッド表面12Cは前記材質M3に隣接されているので、それは上から下の順にM2、M1、M3となり、かつ硬度は柔らかいものから硬いものに至る（H3、H1、H2）。例えば、加えるM3は比較的柔らかい軟性発泡体であってよく、前記材質M1は硬性発泡体であってよく、M2はスポンジ又はココナッツの糸であってよい。また、別の実施例において、ベッドマットレス10Cは材質M2をベッド表面12Cに隣接させてもよく、これによって複合材質構造15Cの上から下の材質の順序はM2、M1、M3となり、かつその硬度は硬いものから柔らかいものへ至る（H2、H1、H3）。
【００３２】
ここに記載したベッドマットレスの実施例の趣旨は、それが含むことのできる技術的特徴を説明することにあり、これらの実施例だけに限られるわけではない、と理解することができる。例えば、材質M3もまたM2の下或いは材質M1とM2の間に設けることができる。このほか、ベッドマットレスの複合材質構造は、M1とM2が実質的に同一の材質又は同一の硬度であるように、又はM1、M2及びM3がいずれも実質的に同一の材質又は同一の硬度であるように、一つの複合材質構造だけ有することもでき、いずれも本発明の範囲に属する。複合材質構造は、更に材質M4、M5等を含むというように、三種類以上の異なる材質を含んでもよく、それもまた本発明の範囲に属し、材質M4、M5等の硬度（例えばH4、H5等）は前記H3より大きくてもよく小さくてもよい。
【００３３】
ある使用者Pが前述ベッドマットレス10に仰臥する実施例において、もし10A、10B、10Cの少なくとも一つに仰臥したとき、外力Fは前記使用者Pの下肢に加えられ、前記使用者は力F’を加えて前記外力に反対に作用させ、これによって下肢の力量を測定し、提供したベッドマットレス10が前記使用者Pに適したベッドマットレスであるかを理解する。また前述のように、もしベッドマットレス10が前記使用者Pに適したベッドマットレスであるときは、使用者が加えた力の力量F’は実質的に少なくとも前記外力の力量Fとのバランスを取ることができる。より好ましくは、使用者が普通に力を加える程度で前記外力とバランスを取るか、外力を上回ることである。使用者Pの加える力量F’が実質的に少なくとも前記外力の力量Fとのバランスを取ることができない場合、或いは使用者が普通に力を加える程度で前記外力とバランスを取ったり、前記外力を上回ることができない場合は、前記ベッドマットレス10の硬度を、前記使用者Pが筋力測定において力F’を加え、前記外力Fと実質的に少なくともバランスを取ることができるまで調整することによって、使用者に適したベッドマットレスを獲得することができる。そのうちベッドマットレス10の硬度の調整は、上述ベッドマットレス10A〜10Cの実施例を参照して更に説明する。詳しくは次の通りである。
【００３４】
本発明における筋力測定を利用して使用者のためにオーダーメイドしたベッドマットレスの実施例において、前記ベッドマットレスの硬度の調整には、前記複合材質構造の材質の相対的な厚さを増減することを含む。ベッドマットレス10Aの調整の実施例において、図4Aの示すように、それはその複合材質構造15Aの硬度の調整を含む。これは例えば、硬度H1を有する材質M1の厚さを増加又は減少したり、及び/又は、硬度H2を有するM1の厚さを増加又は減少したりするものである。例を挙げれば、M1の厚さを調整して増加させた時、ベッドマットレス10Aのベッド表面12Aは比較的柔らかい表面となり、これによって比較的痩せた又は体格指数が比較的小さい正常使用者に適したベッドマットレスを提供し、その厚さは必要に応じて調整することができる。例えば、使用者と接触するM1材質の軟性発泡体を3センチの厚さから5センチとし、逆に、材質M1の厚さを減少させるよう、及び/又は材質M2の厚さを増加（例えばスポンジやココナッツの糸の厚さを増加）させるよう調整し、これによって比較的重い又は体格指数の高い使用者に適したベッドマットレスを提供することができる。図4Bが示すベッドマットレス10Bの実施例において、材質M1、及び/又はM2の厚さの調整と手段は上記実施例とほぼ一致しているため、これ以上説明しない。
【００３５】
本発明における筋力測定を利用して使用者のためにオーダーメイドしたベッドマットレスの実施例において、前記ベッドマットレスの硬度の調整は、前記複合材質構造と異なる硬度の少なくとも一つの材質をその中に加えることを含む。この実施例においては、特に複合材質構造15A、15Bまたは15Cの硬度の調整を指し、少なくとも一つの材質を前記複合材質構造に加えることを含み、前記加えた材質の硬度はベッド表面の硬度とベッド底面の硬度の間であり、これによって更に正確に使用者に適したベッドマットレスを提供することができる。例を挙げると、図4Cで示したベッドマットレス10Cの実施例において、前記ベッドマットレスの硬度の調整は、異なる材質を複合材質構造15Cに加えることにより行うことができ、前記加えた材質はM1〜M3と異なり、かつ硬度もH1〜H3と異なる。実施例において、加える材質はH1とH3の間の硬度を有してもよく、また別の実施例においては、加える材質は維持するか、又は複合材質構造全体の硬度を柔らかいものから硬いものにさせてもよく、或いは複合材質構造全体の硬度を硬いものから柔らかいものにさせることもよく、これにより使用者に適したベッドマットレスを提供する。
【００３６】
このように、本発明における筋力測定を利用して使用者のためにオーダーメイドしたベッドマットレス10の実施例において、そのオーダーメイド方法は、上記のベッドマットレス10の硬度を調整することにより、特に少なくとも一つの材質を含む複合材質構造の硬度を調整することにより、使用者に適したベッドマットレスを提供し、また正確且つ快適に脊柱を支えられるようにすることを含む。
【００３７】
上記に基づき、筋力測定もまたベッドマットレスの製造または規格化に用いて、異なる使用者に適したベッドマットレスを提供することができる。異なる使用者が更に便利に自分に適したベッドマットレスを見つけることができるように、上述のオーダーメイド過程とは異なり、本発明の別の実施例は製造したベッドマットレスを使用者に提供することができる。つまり、前記の筋力測定の利用を通じて製造または規格化したベッドマットレスは、更に効率的に類似した体重、脊柱の弧度、または体格指数を有する使用者に、適したベッドマットレスを提供することができる。
【００３８】
具体的に言えば、本発明の筋力測定を利用して製造したベッドマットレス100の実施例において、前記ベッドマットレス100は異なる使用者の使用に供することができ、仰臥状態において脊柱を実質的に直立時の湾曲度にさせることができる。かつ前記ベッドマットレス100は異なる相対軟硬度H1、H2....Hn(例えば、H1＜H2＜…HnまたはH1＜H2＜…Hn等)をもち、その製造過程は、前記使用者が脊柱に不快感を有するか否かを判断し、前記使用者の体格指数を計算し、前記使用者の下肢の力量を逐一測定し、使用者の下肢力量に基づいて、前記ベッドマットレスの相対軟硬度を使用者の適合度と比較して定めることを含む。その内、前記使用者の下肢力量の逐一測定は、外力Fを前記使用者の一方の下肢に加え、前記使用者は力F’を加えて前記外力に反対に作用させ、使用者は力量F’と前記外力の力量Fとが実質的に少なくともバランスが取れるようになるまで力を加えることを含む。そのうち前記ベッドマットレスの相対軟硬度を使用者の適合度と比較して定めるとき、使用者の比較的大きな下肢力量に対応するベッドマットレスは、より高い適合度を有するベッドマットレスとして定められる。
【００３９】
上記の筋力測定を利用して製造したベッドマットレス100の実施例において、その製造の過程は、規格化を経て量産されるベッドマットレス及び提供のステップを含む。図5は本発明の実施例に用いることのできる実施例の製造フローチャートである。図に示すように、それは量産過程500を含む。量産過程500は以下のものを含む：501先行判断−すなわち前記使用者が脊柱に不快感を有するか否かの判断。502測定と計算−使用者の体重測定および前記使用者の体格指数の計算。503力量テストと記録−各使用者が柔らかいものから硬いものまで複数のベッドマットレス100に仰臥した時の下肢力量を逐一測定し、その結果を記録。504ベッドマットレスの統計と分類−使用者の下肢力量に基づき、前記ベッドマットレスの軟硬度を使用者の適合度に対応して定め、かつ力量テストと記録の結果に従い、前記柔らかすぎ又は硬すぎて使用者の脊柱を正確かつ快適に支えられず、多数の使用者に適合しないベッドマットレスを淘汰することができ、かつ実施例において、そのうち前記ベッドマットレスを使用者の適合度に対応して定めるとき、使用者の比較的大きな下肢力量に対応するベッドマットレスは、より高い適合度を有するベッドマットレスとして定められる。505量産製造−前記相対的により高い適合度を有するベッドマットレスを製造する。つまり、前記より高い適合度を有するベッドマットレス100を柔らかいものから硬いものへ分類し、大量生産を行い、これにより前記適合したベッドマットレス100を異なる使用者に提供する。
【００４０】
そのうち、下肢力量の測定も前記の内容のようにすることができる。実施例において、前記使用者の体格指数の計算は、前記使用者の身長と体重の測定を含む。また別の実施例において、前記使用者の下肢力量の逐一測定は、更に外力を前記使用者の下肢に加える前に、前記使用者の少なくとも一方の下肢を上げて曲げることを含む。実施例において、前述のように、90度まで湾曲させてよい。
【００４１】
図6A〜図6Eは前記ベッドマットレスの実施例100A〜100Eを列挙し、その側面図を示している。前記ベッドマットレス100A〜100Eも、前述のベッドマットレス10A〜10Cのような複合材質構造を有することができる。例えば、実施例において、ベッドマットレス100Aはベッド表面112A、ベッド底面114A、および前記ベッド表面112Aとベッド底面114Aの間に設けられた少なくとも一つの複合材質構造115Aを含む。前述のように、本発明の筋力測定を利用して製造したベッドマットレスの実施例において、前記ベッドマットレスの少なくとも一つは、ベッド表面から複合材料構造を経てベッド底面に至り、上から下へゆくに従って次第に硬度を増してゆき、また別の実施例において、前記ベッドマットレスの少なくとも一つは、ベッド表面から複合材質構造を経てベッド底面に至り、上から下にゆくに従って次第に硬度が減ってゆく。
【００４２】
具体的に言えば、複合材質構造115Aは、前述実施例15Aのように、一種以上の異なる硬度の材質を含む構造を有してもよく、上から下へゆくにつれて硬度が次第に増し、ベッド表面112Aの硬度をベッド底面114Aの硬度よりも硬くさせる。つまり、列挙した実施例100A〜100Eはそれぞれ以下の構造を有してもよい：ベッドマットレス100Aは二種類の硬度の異なる材質M1’、M2’から構成され、比較的柔らかい材質M1’をベッド表面112Aに隣接させてもよい。ベッドマットレス100BもまたM1’、M2’から構成され、比較的硬い材質M2’をベッド表面112Bに隣接させ、M1’をベッド底面114Bに隣接させてもよい。ベッドマットレス100Cは二種類の硬度の異なる材質M3’、M2’から構成され、比較的柔らかい材質M3’をベッド表面112Cに隣接させてもよく、その内の前記材質M3’はM1’より硬い硬度をもつ（すなわちM1’の硬度＜M3’の硬度＜M2’の硬度）。ベッドマットレス100DもM3’、M2’から構成され、比較的硬い材質M2’をベッド表面112Dに隣接させ、M3’をベッド底面114Dに隣接させてもよい。ベッドマットレス100EはM2’材質を含み、同時にベッド表面112Eおよび114Eとする。前記した材質M1’は軟性発泡体（例えば軟性メモリ発泡体など）であるのがより好ましく、M2’は硬性材質（例えばスポンジやココナッツの糸など）であるのがより好ましく、およびM3’は硬性発泡体（例えば硬性メモリ発泡体）であるのがより好ましい。
【００４３】
しかし、理解できることは、その他異なる硬度を持ち、ベッドマットレス構造に適した材質はいずれも可能だということである。前記実施例のベッドマットレス100A（M1’+M2’)、100B（M2’+M1’)、100C（M3’+M2’）、100D（M2’+M3’）、及び100E（M2’）のようなベッドマットレス100を提供し、異なる硬度の材質の配置と組み合わせて（上から下又は下から上等）これを製造することで、異なる使用者に更に効率的にその需要に基づいた適切なベッドマットレスを選択させることができる。その他の実施例において、M1’〜M3’のような前記材質の厚さを調整することによって、更により多くの異なる硬度を有する適切なベッドマットレスを異なる使用者に提供することができる。またその他の実施例においては、M4’のようなその他異なる硬度を有する材質を複合材質構造に加えることによるものでもよく、これら実施例の変化はいずれも本発明の範囲に属する。
【００４４】
本発明もまた前述した筋力測定を利用して、使用者または消費者のためにベッドマットレスを選択及び適切に配置する方法を提供しており、これによって前記使用者は効率的かつ正確に自分の体に適したベッドマットレスを選択することができる。本発明における筋力測定を利用してベッドマットレスを選択及び適切に配置する方法700の実施例において、選択及び適切に配置された後のベッドマットレスは使用者の使用に供し、使用者の脊柱を仰臥状態において実質的に直立時の湾曲度となるようにさせることができ、前記ベッドマットレスを選択及び適切に配置する方法700は次のものを含む：判断ステップ701−前記使用者が脊柱に不快感を有するか否かを判断。ベッドマットレス提供ステップ702−前記使用者に、ベッド表面、ベッド底面、および前記ベッド表面とベッド底面の間に設けられた少なくとも一つの複合材質構造を含む、少なくとも一つのベッドマットレスを提供する。力量テストステップ703−前記使用者の下肢力量を測定。そのうち前記使用者の下肢力量の測定は、前記使用者が前記少なくとも一つのベッドマットレスに仰臥した時、（外力を加えるステップ703−A）外力を前記使用者の下肢に加え、（反対に力を加えるステップ703−B）前記使用者が力を加えて前記外力に反対に作用させることを含む。調整ステップ704−使用者が加えた力と前記外力の力とが実質的に少なくともバランスが取れるまで、前記少なくとも一つのベッドマットレスの硬度を調整する。図7は上述の前記ステップのフローチャートを示すものである。
【００４５】
しかし、理解できることは、前記ステップで開示した順序は前記方法を説明するためのものであり、従っていかなるステップの順序の変更も本発明の範囲に属する。例えば、ステップ701における前記使用者が脊柱に不快感を有するか否かの判断は、ステップ702における少なくとも一つのベッドマットレスの提供の後に行ってもよい。
【００４６】
本発明における筋力測定を利用してベッドマットレスを選択及び適切に配置する方法の別の実施例において、前記方法はさらに測定ステップ705を含み、これによって前記使用者又は消費者の下肢力量を測定する前に、前記使用者の体重を測定し、又は前記使用者の体格指数を計算し、参考値とする。前述のように、使用者又は消費者の下肢力量の測定前に、先にその体重を測定して又は知ってもよく、この他、前述の体格指数計算法を利用して、その身長と体重を知った又は測定した後に体格指数を計算してもよく、これにより前記使用者又は消費者に適したベッドマットレスは如何なるものであるを一層理解し、それの下肢力量を測定する前に先に適したベッドマットレスの初期判断を行うことができる。また、実施例において、前記使用者の下肢力量の測定は、さらに外力を使用者の下肢に加える前に、前記使用者の少なくとも一方の下肢をあげて曲げることを含み、実施例において、90度になるまで曲げることができることは前述の通りである。
【００４７】
本発明における筋力測定を利用してベッドマットレスを選択及び適切に配置する方法の実施例において、前記使用者に少なくとも一つのベッドマットレスを提供することが記載されており、前記ベッドマットレスは前述の実施例におけるベッドマットレス100A〜100Eから選ぶことができる。詳しくは前述のベッドマットレス100〜100Eに関する説明を参考にし、その特徴と内容を更に理解していただきたい。本発明における筋力測定を利用してベッドマットレスを選択及び適切に配置する方法の実施例において、そのうちベッドマットレスの硬度の調整は、前記複合材質構造と異なる材質硬度を有する少なくとも一つの材質をその中に加えることを含む。実施例において、加えようとする異なる材質は、前記複合材質構造のうちの何れかの材質よりも柔らかい硬度を有し、また別の実施例において、加えようとする異なる材質は、前記複合材質構造のうちの何れかの材質よりも硬い硬度を持つ。説明を利するため、再度図4Cの示すベッドマットレス10Cの実施例を参考にしていただきたい。
【００４８】
前記ベッドマットレスの硬度の調整は、異なる材質を複合材質構造15Cに加えることにより行ってもよく、前記加える材質はM1〜M3と異なり、かつその硬度もH1〜H3とは異なる。実施例において、加える材質はH1とH3の間の硬度を有していてもよく、また別の実施例において、加える材質は維持するか又は複合材質構造全体の硬度を柔らかいものから硬いものにしてもよく、あるいは複合材質構造全体の硬度を、硬いものから柔らかいものにしてもよく、これによって使用者に適したベッドマットレスを提供する。
【００４９】
実施例において、使用者が加えた力が実質的に少なくとも前記外力の力とのバランスを取ることができるまで前記ベッドマットレスの硬度を調整することも、前記ベッドマットレスのベッド表面、ベッド底面、または複合材質構造のうち少なくとも一つを、前記複合材質構造に異なるいずれか一つの材質に交換することによって行ってもよい。言い換えれば、ベッド表面、ベッド底面又は複合材質構造の一つ若しくはその組み合わせを交換することによって、提供するベッドマットレスの硬度を使用者のために変更することができる。それはまた前述のステップにおいて提供したベッドマットレスごと別の異なるベッドマットレスに交換することを含む。この他、交換するベッドマットレスも前述のベッドマットレス100A〜100Eの実施例のようなものから選んでもよい。
【００５０】
また、別の実施例において、前記ベッドマットレスの硬度の調整は、直接前記ベッドマットレスの上下を転換し、ベッド表面をベッド底面にし、ベッド底面をベッド底面にすることによって、前記ベッド表面の硬度を変換することを行っても良い。例を挙げれば、前述のベッドマットレス100A〜100Eのうちの一つの上下を転換する―たとえば、ベッド表面とベッド底面をひっくり返すなどは、いずれも本発明の範囲に属する。
【００５１】
本発明で開示した技術内容の趣旨は、本発明の具体的実施例を説明して明らかにし、前記技術を熟知した者に本発明の技術的特徴と効能を理解させることにある。したがって、実施例、態様又は実施方式等の変化はいずれも可能であり、本発明で開示した実施例に限られることはない。あらゆる変型、改良、組み合わせはみな本発明の精神および範囲に反しない。
【００５２】
この他、本発明の技術内容および特許請求の範囲においていう「使用者」は広く「人」を指しており、性別、年齢、身長、体重に限られることはなく、「消費者」を指すこともでき、両者の差異は単に購入行為又は取引が生じたかにあり、これらの名詞だけに限られることはなく、また如何なる制限をもたらすこともない。このほか、記載の技術的特徴および/または技術手段の間の順序配列は、記載された実施例における順序の前後のみに限定されることはなく、前記実施例の趣旨は本発明の技術的内容を説明するものであり、順序の前後の改変等を含めて、如何なる技術的特徴および/または技術的手段の変化も、みな本発明の範囲に属する。
【図面の簡単な説明】
【００５３】
【図１】正常人の脊柱を示す側面図である。
【図２】使用者が本発明のベッドマットレスに仰臥している実施例を示す側面図である。
【図３】使用者Ｐの下肢力量測定を示す説明図である。
【図４Ａ】本発明における筋力測定を利用して得られるベッドマットレスの実施例を示す立体図である。
【図４Ｂ】本発明における筋力測定を利用して得られるベッドマットレスの別の実施例を示す立体図である。
【図４Ｃ】本発明における筋力測定を利用して得られるベッドマットレスの別の実施例を示す立体図である。
【図５】本発明における筋力測定を利用して製造したベッドマットレスの実施例を示す製造フローチャートである。
【図６Ａ】本発明における筋力測定を利用して製造したベッドマットレスの実施例ひとつを示す側面図である。
【図６Ｂ】本発明における筋力測定を利用して製造したベッドマットレスの別の実施例のひとつを示す側面図である。
【図６Ｃ】本発明における筋力測定を利用して製造したベッドマットレスの別の実施例のひとつを示す側面図である。
【図６Ｄ】本発明における筋力測定を利用して製造したベッドマットレスの別の実施例のひとつを示す側面図である。
【図６Ｅ】本発明における筋力測定を利用して製造したベッドマットレスの別の実施例のひとつを示す側面図である。
【図７】本発明における筋力測定を利用してベッドマットレスを選択及び適切に配置する方法の実施例のひとつを示すフローチャートである。
【図１】
2009034502.tif 000003
【図２】
2009034502.tif 000004
【図３】
2009034502.tif 000005
【図４Ａ】
2009034502.tif 000006
【図４Ｂ】
2009034502.tif 000007
【図４Ｃ】
2009034502.tif 000008
【図５】
2009034502.tif 000009
【図６Ａ】
2009034502.tif 000010
【図６Ｂ】
2009034502.tif 000011
【図６Ｃ】
2009034502.tif 000012
【図６Ｄ】
2009034502.tif 000013
【図６Ｅ】
2009034502.tif 000014
【図７】
2009034502.tif 000015